(57)【要約】【課題】複数の異なる形状及びサイズの飲料容器を、一つのカップホルダー内に収容できるカップホルダーを得ることを目的とする。【解決手段】ホルダーの下段側に設けられ、上方へ開口すると共に平面視で略矩形状の角筒状かつ当該矩形状の各長辺の一部が互いに離間する方向へ突出する円弧形状を有する形状に形成された下側収容部と、ホルダーの上段側に設けられ、平面視で正方形状の角筒状に形成されると共に、当該角筒状の下端部と前記下側収容部の上端部とを平面で繋ぐ上側底部を有する上側収容部と、を備えたカップホルダー。【選択図】図２
2015042522.tif 000002
【特許請求の範囲】
【請求項１】
ホルダーの下段側に設けられ、上方へ開口すると共に平面視で略矩形状の角筒状かつ当該矩形状の各長辺の一部が互いに離間する方向へ突出する円弧形状を有する形状に形成された下側収容部と、
ホルダーの上段側に設けられ、平面視で正方形状の角筒状に形成されると共に、当該角筒状の下端部と前記下側収容部の上端部とを平面で繋ぐ上側底部を有する上側収容部と、
を備えたカップホルダー。
【請求項２】
前記下側収容部における円弧形状は、前記下側収容部の前記矩形状の各長辺の中央部に形成されている、
請求項１記載のカップホルダー。
【請求項３】
前記下側収容部及び前記上側収容部は、車両の内装を構成する部材に設けられている、
請求項１又は請求項２記載のカップホルダー。
【発明の詳細な説明】
【技術分野】
【０００１】
本発明は、カップホルダーに関する。
【背景技術】
【０００２】
下記特許文献１には、自動車等において運転席と助手席との間に設置されるフロアコンソールに設けられたカップトレイに関する構造が開示されている。具体的には、四方に延在する規制部によって四角形状の収容開口が形成された第１収容段部と、この第１収容段部の底部に開設された円形状の収容開口が形成された第２収容段部とからなる二重底構造とされている。したがって、牛乳パックなどの角形の飲料容器であれば、第１収容段部に収容することで、角筒飲料容器が第１収容段部の底部で支持され、かつ、角筒飲料容器の側面が第１収容段部の側壁で保持されて、前後左右に動かないように位置規制される。また、円形ボトル型の飲料容器であれば、第２収容段部に収容することで、第２収容段部の底部に支持されて、円形状の収容開口の開口縁によって前後左右に動かないように位置規制される。これにより、円形の容器と角形の容器とをホルダに収容可能としている。
【先行技術文献】
【特許文献】
【０００３】
【特許文献１】特開２０１２−９６７３４号公報
【発明の概要】
【発明が解決しようとする課題】
【０００４】
しかしながら、上記先行技術による場合、角筒飲料容器においてサイズが異なる場合の収容は考慮されておらず、収容できる飲料容器に制限がある。
【０００５】
本発明は上記問題を考慮し、複数の異なる形状及びサイズの飲料容器を、一つのカップホルダー内に収容できるカップホルダーを得ることを目的とする。
【課題を解決するための手段】
【０００６】
請求項１記載の発明に係るカップホルダーは、ホルダーの下段側に設けられ、上方へ開口すると共に平面視で略矩形状の角筒状かつ当該矩形状の各長辺の一部が互いに離間する方向へ突出する円弧形状を有する形状に形成された下側収容部と、ホルダーの上段側に設けられ、平面視で正方形状の角筒状に形成されると共に、当該角筒状の下端部と前記下側収容部の上端部とを平面で繋ぐ上側底部を有する上側収容部と、を備えている。
【０００７】
請求項２記載の発明に係るカップホルダーは、請求項１に記載のカップホルダーにおいて、前記下側収容部における円弧形状は、前記下側収容部の前記矩形状の各長辺の中央部に形成されている。
【０００８】
請求項３記載の発明に係るカップホルダーは、請求項１又は請求項２に記載のカップホルダーにおいて、前記下側収容部及び前記上側収容部は、車両の内装を構成する部材に設けられている。
【０００９】
請求項１記載の本発明によれば、カップホルダーは、ホルダーの下段側に設けられ、上方へ開口すると共に平面視で略矩形状の角筒状かつ、この矩形状の各長辺の一部が互いに離間する方向へ突出する円弧形状を有する形状とされた下側収容部を備えている。また、ホルダーの上段側に設けられ、平面視で正方形状の角筒状に形成されると共に、この角筒状の下端部と下側収容部の上端部とを平面で繋ぐ上側底部を有する上側収容部を備えている。つまり、平面視で正方形状の開口があり、さらにその下側に一部が円弧形状とされた略矩形状の開口が設けられた構成とされている。したがって、平面視で円形の円筒飲料容器を収容する場合には、上側収容部の下側に設けられた下側収容部における円弧形状に形成された中央部内に保持される。これにより、円筒飲料容器は下側収容部の底部で支持され、かつ、中央部の側壁によって前後左右に動かないように位置規制される。
【００１０】
また、平面視で長方形の角筒飲料容器（以下、「小型角筒飲料容器」と称する）を収容する場合には、上側収容部の下側に設けられた下側収容部内に保持される。これにより、小型角筒飲料容器は下側収容部の底部で支持され、かつ、下側収容部の側壁によって前後左右に動かないように位置規制される。
【００１１】
さらに、平面視で正方形の角筒飲料容器（以下、「大型角筒飲料容器」と称する）を収容する場合には、平面視で正方形状に形成された上側収容部内に保持される。したがって、大型角筒飲料容器は上側底部に支持されて、かつ、上側収容部の側壁によって前後左右に動かないように位置規制される。
【００１２】
請求項２記載の本発明によれば、下側収容部における円弧形状は、下側収容部の各長辺の中央部に形成されている。したがって、下側収容部の上端部と上側収容部の下端部とを平面で繋ぐ上側底部が、上側収容部内の四隅へ偏ることなく均等の大きさに配置される。このため、上側収容部内に収容する大型角筒飲料容器をバランス良く支持することができる。
【００１３】
また、小型角筒飲料容器には、側面に飲用時において使用するストローが縮められた状態で取り付けられていることがある。この場合において、下側収容部における中央部は、下側収容部の各長辺が互いに離間する方向へ突出した円弧形状に形成されていることから、小型角筒飲料容器を収容する際にストローが上部底部と干渉することなく確実に下側収容部内に収容させることが可能となる。
【００１４】
請求項３記載の本発明によれば、下側収容部及び上側収容部は、車両の内装を構成する部材に設けられる。つまり、運転席と助手席との間に設置されるインパネコンソールや、シート及びアームレスト等に設けることが可能となる。
【発明の効果】
【００１５】
請求項１記載の本発明に係るカップホルダーは、複数の異なる形状及びサイズの飲料容器を、一つのカップホルダー内に収容できるという優れた効果を有する。
【００１６】
請求項２記載の本発明に係るカップホルダーは、上側収容部に収容する飲料容器の保持性を向上させることができると共に、下側収容部に収容する小型角筒飲料容器の保持性を向上させることができるという優れた効果を有する。
【００１７】
請求項３記載の本発明に係るカップホルダーは、車両の特性に応じて使い勝手の良い箇所に設けることが可能となるという優れた効果を有する。
【図面の簡単な説明】
【００１８】
【図１】第１実施形態に係るカップホルダーの斜視図である。
【図２】（Ａ）は第１実施形態に係るカップホルダーの平面図であり、（Ｂ）は（Ａ）に示されるＢ−Ｂ切断線におけるカップホルダーを車両後方側から車両前方側に向って見た断面図であり、（Ｃ）は（Ａ）に示されるＣ−Ｃ切断線におけるカップホルダーを車両幅方向外側から車両幅方向内側に向って見た断面図である。
【図３】（Ａ）は第１実施形態に係るカップホルダーの円筒飲料容器収容時における平面図であり、（Ｂ）は（Ａ）に示されるＢ−Ｂ切断線におけるカップホルダーを車両後方側から車両前方側に向って見た断面図であり、（Ｃ）は（Ａ）に示されるＣ−Ｃ切断線におけるカップホルダーを車両幅方向外側から車両幅方向内側に向って見た断面図である。
【図４】（Ａ）は第１実施形態に係るカップホルダーの小型角筒飲料容器収容時における平面図であり、（Ｂ）は（Ａ）に示されるＢ−Ｂ切断線におけるカップホルダーを車両後方側から車両前方側に向って見た断面図であり、（Ｃ）は（Ａ）に示されるＣ−Ｃ切断線におけるカップホルダーを車両幅方向外側から車両幅方向内側に向って見た断面図である。
【図５】（Ａ）は第１実施形態に係るカップホルダーの大型角筒飲料容器収容時における平面図であり、（Ｂ）は（Ａ）に示されるＢ−Ｂ切断線におけるカップホルダーを車両後方側から車両前方側に向って見た断面図であり、（Ｃ）は（Ａ）に示されるＣ−Ｃ切断線におけるカップホルダーを車両幅方向外側から車両幅方向内側に向って見た断面図である。
【図６】第２実施形態に係るカップホルダーの平面図である。
【発明を実施するための形態】
【００１９】
（第１実施形態）
以下、図１〜図５を用いて、本発明に係るカップホルダーの第１実施形態について説明する。なお、図面に適宜示される矢印ＦＲは車両前方を示し、矢印ＲＨは車両右方（車幅方向一側）を示し、矢印ＵＰは上方を示す。
【００２０】
ここで、本実施形態に係るカップホルダー１０内に収容可能とされる飲料容器について説明する。市場に流通している飲料容器には、主に容量が５００ｍｌのペットボトル、容量が５００ｍｌの紙パック飲料、容量が２５０ｍｌの紙パック飲料及び容量が２００ｍｌ、２５０ｍｌ、３５０ｍｌ若しくは５００ｍｌの缶飲料等が挙げられる。このうち、容量が５００ｍｌのペットボトルでは、平面視で円形かつ外径がおよそ６９ｍｍの容器が多く流通している。同様に、容量が５００ｍｌの紙パック飲料では、平面視で正方形かつ一辺がおよそ７２ｍｍの容器が多く流通している。また、容量が２５０ｍｌの紙パック飲料では、平面視で長方形かつ長手方向がおよそ６８ｍｍの容器が多く流通している。さらに、缶飲料では、平面視で円形かつ外径が容量に応じて異なる径の容器が流通している。なお、平面視で円形かつ外径がおよそ６９ｍｍの容器を円筒飲料容器、平面視で正方形かつ一辺がおよそ７２ｍｍの容器を大型角筒飲料容器、平面視で長方形かつ長手方向がおよそ６８ｍｍの容器を小型角筒飲料容器として説明する。
【００２１】
図１には、カップホルダー１０を表側から見た斜視図が示されている。このカップホルダー１０は、一例として、樹脂で一体的に成形された構成とされている。また、カップホルダー１０は、一例として、図示しないインパネコンソール、シート及びアームレスト等に設けられる。
【００２２】
図２に示されるように、カップホルダー１０には、カップホルダー１０の上段側に設けられると共に平面視で正方形状に形成された角筒状の上側収容部１２と、カップホルダー１０の下段側に設けられる下側収容部１４が設けられている。この上側収容部１２における平面視での一辺の寸法は、平面視で正方形とされた大型角筒飲料容器１６の一辺の寸法と略同一とされている（図５参照）。また、上側収容部１２の端末１８は、外側に折返されており、端末１８が下向きになるよう設定されている。さらに、上側収容部１２の上端部２０には曲面形状が形成されている。これにより、飲料容器を収容する際の飲料容器へのガイド性が向上し、飲料容器をカップホルダー１０内に収容し易くされている。
【００２３】
下側収容部１４は、平面視で矩形状の角筒状かつ、この矩形状の長辺２２、２４の中央部２６が互いに離間する方向へ突出する円弧形状を有した形状に形成されており、上方に開口している。この下側収容部１４における長手方向の寸法は、小型角筒飲料容器２８の長手方向の寸法と略同一とされている（図４参照）。また、下側収容部１４の短辺方向の側壁３０と、上側収容部１２の側壁３２とは、同一面とされている。さらに、中央部２６における円弧形状の突出量は、平面視で上側収容部１２の側壁３２よりも内側に収められており、円弧形状の曲率は円筒飲料容器３４の側面４４の曲率と略同一とされている（図３参照）。さらにまた、平面視における下側収容部１４の中心位置と、上側収容部の中心位置とは、同一の位置に設定されている。したがって、平面視で上側収容部１２の中に下側収容部１４が収められている構成とされている。
【００２４】
図２（ｂ）（ｃ）に示されるように、上側収容部１２と下側収容部１４は一体的に連続した形状とされている。すなわち、上側収容部１２の下端部３６と、下側収容部１４の上端部３８とは、平面状に形成された上側底部４０を介して繋げられている。これにより、図２（Ａ）に示されるように、上側収容部１２の四隅に上側底部４０が設けられた構成とされている。また、下側収容部１４の下部には、底として平面に形成された底部４２が形成されている。
【００２５】
各収容部の深さは、それぞれの収容部に収容される飲料容器の保持性能を満足させるように、飲料容器の高さの２割〜３割程度の深さに設定されている。すなわち、上側収容部１２の深さは、大型角筒飲料容器の高さの２割〜３割程度に設定されている（図５参照）。同様に、下側収容部１４の深さも、円筒飲料容器の高さの２割〜３割程度に設定されている。（図３参照）
【００２６】
（第１実施形態の作用・効果）
次に、第１実施形態の作用並びに効果を説明する。
【００２７】
図３に示されるように、円筒飲料容器３４をカップホルダー１０内に収容させる場合には、上側収容部１２の下側に設けられた下側収容部１４の中央部２６内へ収容させる。こうすることで、下側収容部１４の底部４２で円筒飲料容器３４が支持される。また、下側収容部１４の中央部２６が平面視で円筒飲料容器の側面と略同一の曲率の円弧形状に形成されていることから、この中央部２６の側壁５４により円筒飲料容器３４の側面４４を保持することが可能となる。これにより、円筒飲料容器３４を前後左右に動かないようにさせることができる。
【００２８】
なお、中央部２６は円弧形状に形成されている。したがって、円筒飲料容器は容量が５００ｍｌのペットボトルに限らず、容量が２００ｍｌ、２５０ｍｌ、３５０ｍｌ若しくは５００ｍｌの図示しない缶飲料等といった、平面視で円形の飲料容器も中央部２６の側壁５４により保持することが可能となる。
【００２９】
図４に示されるように、小型角筒飲料容器２８をカップホルダー１０内に収容させる場合には、上側収容部１２の下側に設けられた略矩形状の長辺２２、２４に沿った方向と、小型角筒飲料容器２８の長手方向を平行にした向きで下側収容部１４内へ収容させる。こうすることで、下側収容部１４の底部４２で小型角筒飲料容器２８が支持される。また、下側収容部１４の長辺２２の端部の側壁４６は平面視で直線状に形成されていることから、小型角筒飲料容器２８の側面４８を保持することが可能となる。さらに、下側収容部１４の短辺方向の側壁３０も平面視で直線状に形成されていることから、小型角筒飲料容器２８の側面４８を保持することができる。さらにまた、小型角筒飲料容器２８の側面４８には、収縮可能とされたストロー５０が縮められた状態で上下方向に沿って取り付けられている。この場合でも、下側収容部１４の中央部２６は、長辺２２、２４が互いに離間する方向へ突出した円弧形状に形成されていることから、ストロー５０が上側底部４０と干渉することなく小型角筒飲料容器２８を下側収容部１４内に収容することができる。これにより、小型角筒飲料容器２８を前後左右に動かないようにすることができる。
【００３０】
図４に示されるように、大型角筒飲料容器１６をカップホルダー１０内に収容させる場合には、上側収容部１２内へ収容させる。こうすることで、上側収容部１２の上側底部４０で大型角筒飲料容器１６が支持される。また、上側収容部１２は、平面視で大型角筒飲料容器１６の一辺の寸法と略同一とされた正方形状の角筒状に形成されていることから、大型角筒飲料容器１６の側面５２を保持することができる。これにより、大型角筒飲料容器１６を前後左右に動かないようにすることができる。
【００３１】
これに対し、従来のカップホルダーでは、大型角筒飲料容器１６及び小型角筒飲料容器２８を収容する場合は、四角形状の収容開口が形成された第１収容段部内に収容する。また、円筒飲料容器３４を収容する場合は、第１収容段部の底部に開設されると共に円形状の収容開口が形成された第２収容段部内に収容する。この第１収容段部は、大型角筒飲料容器１６を収容可能とするために大型角筒飲料容器１６のサイズに合わせた四角形状の収容開口形状に形成される必要がある。したがって、小型角筒飲料容器２８を第１収容段部に収容すると、第１収容段部の四角形状の収容開口に対し小型角筒飲料容器２８が小さいため、四角形状の収容開口の側壁と小型角筒飲料容器２８の側面４８との間に、大きな空間ができる。すなわち、大型角筒飲料容器１６が前後左右に動かないように大型角筒飲料容器１６のサイズに合わせた四角形状の収容開口では、小型角筒飲料容器２８が前後左右に動くこととなり、適切に保持することができない。つまり、サイズが異なる角筒飲料容器に対応することができない。
【００３２】
しかし、本実施形態に係るカップホルダー１０によれば、カップホルダー１０は上方へ開口すると共に平面視で略矩形状の角筒状かつ、この矩形状の長辺２２、２４の一部が互いに離間する方向へ突出する円弧形状を有する形状に形成された下側収容部１４を備えている。また、下側収容部１４の上側に設けられ、平面視で正方形状の角筒状に形成されると共に、この角筒状の下端部３６と下側収容部１４の上端部２０とを平面で繋ぐ上側底部４０を有する上側収容部１２を備えている。つまり、平面視で正方形状の開口があり、さらにその下側に一部が円弧形状とされた矩形状の開口が設けられた構成とされている。したがって、平面視で円形の円筒飲料容器３４を収容する場合には、上側収容部１２の下側に設けられた下側収容部１４における円弧形状に形成された中央部２６内に保持される。これにより、円筒飲料容器３４は下側収容部１４の底部４２で支持され、かつ、中央部２６の側壁５４によって前後左右に動かないように位置規制される。
【００３３】
また、平面視で長方形の小型角筒飲料容器２８を収容する場合には、上側収容部１２の下側に設けられた下側収容部１４内に保持される。これにより、小型角筒飲料容器２８は下側収容部１４の底部４２で支持され、かつ、下側収容部１４の側壁３０、４６によって前後左右に動かないように位置規制される。
【００３４】
さらに、平面視で正方形の大型角筒飲料容器１６を収容する場合には、平面視で正方形状に形成された上側収容部１２内に保持される。したがって、大型角筒飲料容器１６は上側底部４０に支持されて、かつ、上側収容部１２の側壁３２によって前後左右に動かないように位置規制される。これにより、複数の異なる形状及びサイズの飲料容器を、一つのカップホルダー１０内に収容できる。
【００３５】
また、下側収容部１４における円弧形状は、下側収容部１４の長辺２２、２４の中央部２６に形成されている。したがって、下側収容部１４の上端部３８と上側収容部１２の下端部３６とを平面で繋ぐ上側底部４０が、上側収容部１２内の四隅へ偏ることなく均等の大きさに配置される。このため、上側収容部１２内に収容する大型角筒飲料容器１６をバランス良く支持することができる。さらに、小型角筒飲料容器２８には、側面４８に飲用時において使用するストロー５０が縮められた状態で取り付けられていることがある。この場合において、下側収容部１４における中央部２６は、下側収容部１４の長辺２２、２４が互いに離間する方向へ突出した円弧形状に形成されていることから、小型角筒飲料容器２８を収容する際にストロー５０が上側底部４０と干渉することなく確実に下側収容部１４内に収容させることが可能となる。これにより、上側収容部１２に収容する飲料容器の保持性を向上させることができる。また、下側収容部１４に収容する小型角筒飲料容器２８の保持性を向上させることができる。
【００３６】
さらに、下側収容部１４及び上側収容部１２は、車両の内装を構成する部材に設けられる。つまり、運転席と助手席との間に設置されるインパネコンソールや、シート及びアームレスト等に設けることが可能となる。これにより、車両の特性に応じて使い勝手の良い箇所に設けることが可能となる。
【００３７】
なお、上記実施形態では、円筒飲料容器３４、大型角筒飲料容器１６、小型角筒飲料容器２８が収容される構成とされているが、これに限らず、菓子容器やスマートフォンや携帯電話及び携帯ゲーム機器等も収容されるようにしてもよい。
【００３８】
（第２実施形態）
次に、図６を用いて、本発明の第２実施形態に係るカップホルダーの一例について説明する。なお、前述した第１実施形態等と同一構成部分については、同一番号を付してその説明を省略する。
【００３９】
図６に示されるように、上側収容部１２に対し下側収容部５８は平面視で時計回りに傾いて設けられている。すなわち、本実施形態における下側収容部５８は、第１実施形態における下側収容部１４の位置に対し、平面視で下側収容部の中心点Ｃを中心として略４５°回転させた位置に設定されている。つまり、下側収容部５８の平面視での長手方向は、上側収容部１２における平面視での一方の対角線と同一の向きとされる。
【００４０】
上側底部５６は、上側収容部１２における平面視での他方の対角線上かつそれぞれの角部の２ヶ所に設けられている。この上側底部５６は、第１実施形態における上側底部４０よりも面積が大きく形成されている。
【００４１】
下側収容部５８における円弧形状に形成された中央部２６は、その円弧形状の曲率が円筒飲料容器３４の側面４４の曲率と略同一に設定されている。そして、下側収容部５８の長手方向における両端側は、下側収容部５８の側壁３０により、それぞれ二等辺三角形状に形成されている。
【００４２】
（第２実施形態の作用・効果）
次に、第２実施形態の作用並びに効果を説明する。
【００４３】
下側収容部５８の長手方向の寸法は、平面視で上側収容部１２の対角線と略同一となる。したがって、カップホルダー１０の外形サイズを変更せずに下側収容部５８の長手方向寸法を大きくすることが可能となる。こうすることで、一例として、小型角筒飲料容器２８よりも幅が大きい飲料容器、菓子容器、スマートフォン、携帯電話及び携帯ゲーム機器等をより深い下側収容部５８内に収容させることが可能となる。これにより、カップホルダー１０から脱落しにくい、より安定した保持をさせることが可能となる。
【００４４】
さらに、第１実施形態及び第２実施形態に係るカップホルダー１０では、以下の作用効果も得られる。
【００４５】
第１実施形態及び第２実施形態に係るカップホルダー１０では、円筒飲料容器３４及び小型角筒飲料容器２８を収容可能とする下側収容部１４、５８と、大型角筒飲料容器１６を収容可能とする上側収容部１２とが一体で形成されている。したがって、可動式の保持具等により異なる形状やサイズの飲料容器を保持する必要がないため、構成を簡素にすることが可能となる。これにより、製造が容易となり、コストを抑制することができる。
【００４６】
なお、上記第１実施形態及び第２実施形態では、下側収容部１４、５８の略矩形状の中央部２６に円弧形状が設けられる形状とされているが、これに限らず、中央部２６以外の箇所に円弧形状が設けられていている形状としてもよい。さらに、上記第１実施形態及び第２実施形態では、自動車等の車両の内装を構成する部材に設ける構成とされているが、これに限らず、航空機や鉄道車両、船舶等の内装を構成する部材に設ける構成としてもよい。
【００４７】
また、上記第１実施形態及び第２実施形態では、上側収容部１２の深さは、大型角筒飲料容器の高さの２割〜３割程度に設定されている。同様に、下側収容部１４、５８の深さも、円筒飲料容器の高さの２割〜３割程度に設定されているが、これに限らず、使用状況等に応じて適宜上側収容部１２及び下側収容部１４、５８の深さを変更してもよい。さらに、下側収容部１４、５８において、円弧形状とそれ以外の箇所の開口の深さをそれぞれ違う深さに設定してもよい。さらにまた、上記第１実施形態及び第２実施形態では、大型角筒飲料容器１６、小型角筒飲料容器２８及び円筒飲料容器３４のサイズ及び容量について具体的数値を表したが、これに限らず、適宜そのサイズおよび容量に応じて上側収容部１２及び下側収容部１４、５８の形状を変更してもよい。
【００４８】
以上、本発明の実施形態について説明したが、本発明は、上記に限定されるものでなく、その主旨を逸脱しない範囲内において上記以外にも種々変形して実施することが可能であることは勿論である。
【符号の説明】
【００４９】
１０   カップホルダー
１２   上側収容部
１４   下側収容部
２２   長辺
２４   長辺
２６   中央部
３６   下端部
３８   上端部
４０   上側底部
５８   下側収容部
【図１】
2015042522.tif 000003
【図２】
2015042522.tif 000004
【図３】
2015042522.tif 000005
【図４】
2015042522.tif 000006
【図５】
2015042522.tif 000007
【図６】
2015042522.tif 000008